(57)【要約】【課題】セパレータに対し、第１電極シートを第１端部側及び第２端部側へのいずれの方向にも位置決めすることができる蓄電装置を提供すること。【解決手段】電極組立体１４のセパレータ２３は、正極シート２１の一方の面を覆う第１セパレータ面２４と、正極シート２１の他方の面を覆う第２セパレータ面２５と、第１セパレータ面２４と第２セパレータ面２５とを繋ぎ、かつ折り曲げ線Ｌによって折り曲げられた折り曲げ部２７と、を有する。セパレータ２３は、第１セパレータ面２４の第１セパレータ端部２４ａと、第２セパレータ面２５の第２セパレータ端部２５ａとを接合した溶着部２６を有する。セパレータ２３は、折り曲げ線Ｌに沿う方向に延び、かつ正極集電タブ３１を挿入するための切り込み２３ｂを有する。【選択図】図２
2014007104.tif 000002
【特許請求の範囲】
【請求項１】
少なくとも一方の面に活物質層を有するとともにタブが突設された第１端部と、前記第１端部とは反対側の第２端部とを有する第１電極、
前記第１電極を挟むセパレータ、
及び、前記第１電極とは異なる極性の第２電極が、積層されてなる電極組立体を備えた蓄電装置において、
前記セパレータは、前記第１電極の一方の面を覆う第１セパレータ面と、
前記第１電極の他方の面を覆う第２セパレータ面と、
前記第１セパレータ面と前記第２セパレータ面とを繋ぎ、かつ折り曲げ線によって折り曲げられた折り曲げ部と、
前記第１セパレータ面の、前記折り曲げ部と反対側の端部である第１セパレータ端部と、
前記第２セパレータ面の、前記折り曲げ部と反対側の端部である第２セパレータ端部と、
前記第１セパレータ端部と、前記第２セパレータ端部の少なくとも一部同士を接合した接合部とを有し、
前記セパレータの前記折り曲げ部側に前記第１端部が位置するとともに、前記接合部側に前記第２端部側が位置しており、
前記折り曲げ線に沿う方向に延び、かつ前記タブを挿入するための切り込みを有することを特徴とする蓄電装置。
【請求項２】
前記第１電極は正極であり、前記第２電極は負極である請求項１に記載の蓄電装置。
【請求項３】
前記切り込みは、孔状に形成されている請求項１又は請求項２に記載の蓄電装置。
【請求項４】
前記接合部は、前記第１セパレータ端部、及び前記第２セパレータ端部同士のみを接合して形成されている請求項１〜請求項３のうちいずれか一項に記載の蓄電装置。
【請求項５】
前記接合部は、溶着によって形成されている請求項１〜請求項４のうちいずれか一項に記載の蓄電装置。
【請求項６】
前記蓄電装置は二次電池である請求項１〜請求項５のうちいずれか一項に記載の蓄電装置。
【発明の詳細な説明】
【技術分野】
【０００１】
本発明は、タブが突設された第１端部と、第１端部とは反対側の第２端部とを有する第１電極、第１電極を挟むセパレータ、及び、第１電極とは異なる極性の第２電極が、積層されてなる電極組立体を備えた蓄電装置に関する。
【背景技術】
【０００２】
ＥＶ（Ｅｌｅｃｔｒｉｃ  Ｖｅｈｉｃｌｅ）やＰＨＶ（Ｐｌｕｇ  ｉｎ  Ｈｙｂｒｉｄ  Ｖｅｈｉｃｌｅ）などの車両には、走行用モータへの供給電力を蓄える蓄電装置としての二次電池が搭載されている。二次電池は、例えば両面に活物質層が形成された正極シート及び負極シートを有し、これらがセパレータを間に挟んだ状態で積層された電極組立体を備えている。この各電極シート及びセパレータの積層態様として、例えば特許文献１に記載されたものがある。
【０００３】
図６に示すように、特許文献１に記載の電極組立体８０は、正極板８１と、負極板（図示せず）と、正極板８１が収納される複合セパレータ８３と、を備える。複合セパレータ８３は、袋状の第１セパレータ８５と、この第１セパレータ８５よりも一回り大きい袋状の第２セパレータ８６とから構成されている。第１セパレータ８５及び第２セパレータ８６は、開口部を一端側に有するとともに、開口部に隣接する側部が部分的に溶着されている。第１セパレータ８５は、その開口部を第２セパレータ８６の開口部と同一方向に向けて第２セパレータ８６内に収納されている。
【０００４】
複合セパレータ８３は、一端側に開口部８３ｂを有するとともに、開口部８３ｂと反対側には挿入孔８３ａが形成されている。そして、正極板８１は、複合セパレータ８３の開口部８３ｂから複合セパレータ８３内に挿入されるとともに、集電片部８１ａが挿入孔８３ａに挿入され、複合セパレータ８３から突出している。
【先行技術文献】
【特許文献】
【０００５】
【特許文献１】特開２００３−２１７５５２号公報
【発明の概要】
【発明が解決しようとする課題】
【０００６】
ところが、特許文献１の電極組立体８０においては、複合セパレータ８３に対し、正極板８１の集電片部８１ａとは反対側には位置決めすることができず、正極板８１の位置ずれが生じてしまう。
【０００７】
本発明は、セパレータに対し、第１電極を第１端部側及び第２端部側へのいずれの方向にも位置決めすることができる蓄電装置を提供することにある。
【課題を解決するための手段】
【０００８】
上記問題点を解決するために、請求項１に記載の発明は、少なくとも一方の面に活物質層を有するとともにタブが突設された第１端部と、前記第１端部とは反対側の第２端部とを有する第１電極、前記第１電極を挟むセパレータ、及び、前記第１電極とは異なる極性の第２電極が、積層されてなる電極組立体を備えた蓄電装置において、前記セパレータは、前記第１電極の一方の面を覆う第１セパレータ面と、前記第１電極の他方の面を覆う第２セパレータ面と、前記第１セパレータ面と前記第２セパレータ面とを繋ぎ、かつ折り曲げ線によって折り曲げられた折り曲げ部と、前記第１セパレータ面の、前記折り曲げ部と反対側の端部である第１セパレータ端部と、前記第２セパレータ面の、前記折り曲げ部と反対側の端部である第２セパレータ端部と、前記第１セパレータ端部と、前記第２セパレータ端部の少なくとも一部同士を接合した接合部とを有し、前記セパレータの前記折り曲げ部側に前記第１端部が位置するとともに、前記接合部側に前記第２端部側が位置しており、前記折り曲げ線に沿う方向に延び、かつ前記タブを挿入するための切り込みを有することを要旨とする。
【０００９】
これによれば、セパレータにおける第１セパレータ面と第２セパレータ面との間に第１電極が挟まれるとともに、セパレータの切り込みに第１電極のタブが挿入された形態とされていても、第１電極の面方向において折り曲げ部と接合部との間に第１電極が挟まれている。よって、第１電極が、折り曲げ部又は接合部に向けて面方向に移動しようとしても、第１電極は折り曲げ部又は接合部と当接し、その移動を規制することができる。その結果として、セパレータに対し、第１電極を第１端部側及び第２端部側へのいずれの方向にも位置決めすることができる。さらに、切り込みにタブが挿入されている。よって、第１電極が折り曲げ線に沿う方向へ移動しようとしてもタブは切り込みの端縁と当接し、その移動を規制することができる。
【００１０】
また、前記第１電極は正極であり、第２電極は負極であってもよい。
これによれば、折り曲げ部側及び接合部側への正極の移動が規制されるため、正極が負極に対向してしまうことを防止できる。
【００１１】
また、前記切り込みは、孔状に形成されていてもよい。
これによれば、折り曲げ線の延びる方向にタブが切り込みから抜け出ることが防止されるとともに、折り曲げ線の延びる方向への第１電極の移動を規制することができる。
【００１２】
また、前記接合部は、前記第１セパレータ端部、及び前記第２セパレータ端部同士のみを接合して形成されていてもよい。
これによれば、例えば、第１及び第２セパレータ面の側辺に位置する端部のうち折り曲げ部以外の全ての端部同士を接合して接合部を形成する場合と比べると、接合部の接合作業を簡単に行うことができ、電極組立体ひいては蓄電装置の生産性を向上させることができる。
【００１３】
また、前記接合部は、溶着によって形成されていてもよい。
これによれば、第１セパレータ端部と第２セパレータ端部の接合を簡単に行うことができる。
【００１４】
また、前記蓄電装置は二次電池であってもよい。
【発明の効果】
【００１５】
本発明によれば、セパレータに対し、第１電極を第１端部側及び第２端部側へのいずれの方向にも位置決めすることができる。
【図面の簡単な説明】
【００１６】
【図１】実施形態の二次電池を示す斜視図。
【図２】電極組立体を示す分解斜視図。
【図３】セパレータ、及び正極シートの配置態様を示す正面図。
【図４】シート集合体を示す断面図。
【図５】（ａ）〜（ｄ）はシート集合体の製造方法を模式的に示す図。
【図６】背景技術を示す図。
【発明を実施するための形態】
【００１７】
以下、本発明を具体化した一実施形態を図１〜図５にしたがって説明する。蓄電装置は、車両（自動車及び産業用車両）に複数搭載されており、車両に搭載された走行用モータ（電動機）を駆動するのに用いられる。なお、図面の都合上、溶着部２６については、ドットハッチングで示すとともに、また、図面の都合上、図４等に示す各厚さ等を、適宜実際の寸法と異ならせて示す。
【００１８】
図１に示すように、蓄電装置としての二次電池１０は、その外郭を構成する金属製のケース１１を備えている。ケース１１は、四角箱状の容器１２と、容器１２の開口部分を塞ぐ矩形平板状の蓋１３とからなる。このため、二次電池１０は、その外郭が角型をなしている。また、二次電池１０はリチウムイオン二次電池である。
【００１９】
ケース１１には、電極組立体１４及び電解質としての電解液（図示略）が収容されている。図２に示すように、電極組立体１４は、複数の第１電極としての正極シート２１と複数の第２電極としての負極シート２２とが、電気伝導に係るイオン（リチウムイオン）が通過可能な多孔質膜で形成されたセパレータ２３を介して交互に積層されて構成されている。詳細には、電極組立体１４は、正極シート２１及びセパレータ２３からなる複数のシート集合体２０と、複数の負極シート２２とが交互に積層されて構成されている。
【００２０】
正極シート２１は、矩形状に形成された正極金属箔（例えばアルミニウム箔）２１ａと、この正極金属箔２１ａの両面に正極活物質が塗布されることによって形成された正極活物質層２１ｂとから構成されている。負極シート２２は、矩形状に形成された負極金属箔（例えば銅箔）２２ａと、この負極金属箔２２ａの両面に負極活物質が塗布されることによって形成された負極活物質層２２ｂとから構成されている。
【００２１】
正極シート２１には、正極シート２１の第１端部２１ｃ（一辺方向（長辺方向））に沿って、正極活物質が塗布されていない正極側未塗工部２１ｄが形成されている。正極側未塗工部２１ｄは、正極シート２１の他辺方向（短辺方向）に幅を有して形成されている。そして、正極シート２１の第１端部２１ｃの一部には、正極金属箔２１ａを延出させて形成されたタブとしての正極集電タブ３１が突設されている。また、正極活物質は、正極シート２１の、第１端部２１ｃとは反対側の第２端部２１ｆを有し、第２端部２１ｆ側から第１端部２１ｃに向かって正極活物質層２１ｂが形成されている。
【００２２】
また、負極シート２２には、正極シート２１と同様に、負極シート２２の一端部２２ｃ（一辺方向（長辺方向））に沿って、負極活物質が塗布されていない負極側未塗工部２２ｄが形成されている。負極側未塗工部２２ｄは、負極シート２２の他辺方向（短辺方向）に幅を有して形成されている。そして、負極シート２２の一端部２２ｃの一部には、負極金属箔２２ａを延出させて形成された負極集電タブ３２が突設されている。
【００２３】
なお、以降の説明において、正極シート２１には、正極側未塗工部２１ｄが含まれ且つ正極集電タブ３１が除外されるものとする。負極シート２２についても同様である。
正極シート２１及び負極シート２２は、正極集電タブ３１が積層方向に沿って列状に配置され、且つ正極集電タブ３１と重ならない位置にて負極集電タブ３２が積層方向に沿って列状に配置されるように積層される。そして、図１に示すように、各正極集電タブ３１は、電極組立体１４における積層方向の一端から他端までの範囲内で集められた（束ねられた）状態で折り曲げられている。詳細には、各正極集電タブ３１は、電極組立体１４の積層方向の一端側に寄せて集められており、その集められた状態で、上記一端側とは反対側である積層方向の他端側に向けて折り返されている。そして、その各正極集電タブ３１が重なっている箇所を溶接することによって各正極集電タブ３１が電気的に接続されている。各負極集電タブ３２についても同様である。
【００２４】
二次電池１０は、電極組立体１４から電力を取り出すための正極端子４１及び負極端子４２を備えている。各端子４１，４２は、ケース１１の蓋１３に形成された貫通孔を介してケース１１を貫通した状態で取り付けられており、その一部がケース１１外に露出している。正極端子４１は、正極集電タブ３１と溶接されるとともに電気的に接続されており、負極端子４２は、負極集電タブ３２と溶接されるとともに電気的に接続されている。これにより、電極組立体１４の電力をケース１１外に取り出すことができるとともに、電極組立体１４に対して電力を供給することにより、電極組立体１４を充電することが可能となっている。
【００２５】
次に、シート集合体２０の詳細な構成等について、正極シート２１、負極シート２２及びセパレータ２３の詳細な説明とともに、以下に説明する。
図２に示すように、正極シート２１（正極集電タブ３１を除いた矩形状の部分）と負極シート２２（負極集電タブ３２を除いた矩形状の部分）とは、相似形状をなしている。詳細には、正極シート２１は負極シート２２よりも一回り小さく形成されている。正極シート２１（正極金属箔２１ａ）の一辺方向（長辺方向）及び他辺方向（短辺方向）の長さはそれぞれ、負極シート２２（負極金属箔２２ａ）の各方向の長さよりも短く設定されている。
【００２６】
ここで、正極活物質層２１ｂは、正極シート２１において正極側未塗工部２１ｄ以外の領域全体に形成されている。そして、負極活物質層２２ｂは、負極シート２２において負極側未塗工部２２ｄ以外の領域全体に形成されている。このため、正極シート２１が負極シート２２よりも一回り小さく形成されている関係上、正極活物質層２１ｂは負極活物質層２２ｂよりも一回り小さく形成されている。
【００２７】
図２〜図４に示すように、セパレータ２３は、全体として帯状をなす材料を該材料の一辺方向（長辺方向）中央の折り曲げ線Ｌから折り曲げ、二つ折り状態で折り曲げ線Ｌと平行に延びる二つの短辺を合致させつつ接合して形成されている。そして、図４に示すように、セパレータ２３は、折り曲げ部２７での折り曲げ線Ｌから該折り曲げ線Ｌに対し平行に延びる一方の短辺２３ｄまでの領域全体に第１セパレータ面２４が形成されるとともに、折り曲げ線Ｌから該折り曲げ線Ｌに対し平行に延びる他方の短辺２３ｆまでの領域全体に第２セパレータ面２５が形成されている。
【００２８】
第１セパレータ面２４において、一方の短辺２３ｄに沿って延びる端部であり、折り曲げ部２７とは反対側の端部によって第１セパレータ端部２４ａが形成されている。また、第２セパレータ面２５において、他方の短辺２３ｆに沿って延びる端部であり、折り曲げ部２７とは反対側の端部によって第２セパレータ端部２５ａが形成されている。
【００２９】
第１セパレータ面２４及び第２セパレータ面２５はそれぞれ、負極シート２２と同一形状に形成されている。このため、第１及び第２セパレータ面２４，２５は正極シート２１を覆い、かつ面積が正極シート２１よりも大きくなっている。
【００３０】
図２及び図３に示すように、セパレータ２３の折り曲げ部２７には、細長孔状の切り込み２３ｂが折り曲げ線Ｌに沿って直線状に延びるように形成されている。切り込み２３ｂは、折り曲げ線Ｌに沿ってセパレータ２３の一方の長辺から折り曲げ部２７の中央寄りに離間した位置に形成されている。このため、切り込み２３ｂは、独立した孔状に形成されており、セパレータ２３の両長辺に対して非連続となっている。すなわち、切り込み２３ｂは折り曲げ部２７上で閉じられた形状となっており、セパレータ２３の両方の長辺に繋がっていない。
【００３１】
セパレータ２３において、第１セパレータ面２４と第２セパレータ面２５との間には正極シート２１が配置されるとともに、この正極シート２１の正極集電タブ３１は切り込み２３ｂに挿入されている。そして、セパレータ２３と正極シート２１とからなるシート集合体２０は、正極シート２１の中心と第１及び第２セパレータ面２４，２５の中心とが一致する状態で、正極シート２１が第１及び第２セパレータ面２４，２５によって挟まれることによって構成されている。正極シート２１（正極活物質層２１ｂ）は、その全体が第１及び第２セパレータ面２４，２５によって覆われている。すなわち、第１セパレータ面２４は、正極シート２１の一方のシート面を覆っている。また、第２セパレータ面２５は、正極シート２１の他方のシート面を覆っている。また、正極シート２１の第１端部２１ｃ側に、セパレータ２３の切り込み２３ｂが形成される。図３に示すように、正極集電タブ３１において、正極金属箔２１ａからの突設方向に延びる一方の端縁３１ｂと、この端縁３１ｂに対向する切り込み２３ｂの端縁２３ｇとの間を間隙Ｋ１で表し、正極金属箔２１ａからの突設方向に延びる他方の端縁３１ｃと、この端縁３１ｃに対向する切り込み２３ｂの端縁２３ｈとの間を間隙Ｋ２で表す。この場合、正極集電タブ３１は、切り込み２３ｂ内では、間隙Ｋ１と間隙Ｋ２との合計の範囲内で折り曲げ線Ｌに沿った方向へ移動可能になっている。
【００３２】
ここで、既に説明したとおり、正極シート２１は第１及び第２セパレータ面２４，２５よりも一回り小さく形成されている。このため、図２に示すように、シート集合体２０を構成している態様、詳細には正極シート２１と第１及び第２セパレータ面２４，２５とがその中心が一致する状態で積層されている態様において、第１及び第２セパレータ面２４，２５の一部が正極シート２１の側面２１ｅから外側（側面２１ｅと直交する方向）にはみ出している。換言すれば、第１及び第２セパレータ面２４，２５は、正極シート２１を間に挟んだ状態でユニット化された場合に、正極シート２１を覆うとともにその一部が正極シート２１の側面２１ｅからはみ出すように、正極シート２１よりも大きく形成されていると言える。
【００３３】
シート集合体２０を構成している態様において正極シート２１の側面２１ｅからはみ出した第１セパレータ面２４の一部をはみ出し部５１とし、このはみ出し部５１は、第１セパレータ端部２４ａを含んでいる。また、正極シート２１の側面２１ｅからはみ出した第２セパレータ面２５の一部をはみ出し部５２とし、このはみ出し部５２は、第２セパレータ端部２５ａを含んでいる。各はみ出し部５１，５２は、正極シート２１を囲むように第１及び第２セパレータ面２４，２５の全周に亘っている。また、図４に示すように、各はみ出し部５１，５２は正極シート２１の厚さ方向に対向している。そして、折り曲げ部２７と反対側に位置するはみ出し部５１，５２である第１セパレータ端部２４ａと第２セパレータ端部２５ａは溶着され、セパレータ２３に接合部としての溶着部２６が形成されている。すなわち、溶着部２６は、第１及び第２セパレータ面２４，２５の四辺に跨る各はみ出し部５１，５２（端部）のうちの一つの端部（正極シート２１の第２端部２１ｆ側）だけに形成されている。この溶着部２６は、第１及び第２セパレータ面２４，２５を挟んで切り込み２３ｂと反対側に形成されている。そして、正極シート２１は、折り曲げ部２７と溶着部２６の間に挟まれている。さらに、溶着部２６は、第１セパレータ端部２４ａと第２セパレータ端部２５ａとを、両短辺２３ｄ，２３ｆの延びる方向全体に亘って溶着して形成されている。
【００３４】
そして、本実施形態では、セパレータ２３は、第１セパレータ面２４と、第２セパレータ面２５と、第１セパレータ面２４と第２セパレータ面２５とを繋ぎ、かつ折り曲げ線Ｌによって折り曲げられた折り曲げ部２７と、を有している。さらに、セパレータ２３は、第１セパレータ面２４の、折り曲げ部２７と反対側の端部である第１セパレータ端部２４ａと、第２セパレータ面２５の、折り曲げ部２７と反対側の端部である第２セパレータ端部２５ａと、第１セパレータ端部２４ａと、第２セパレータ端部２５ａとを接合した溶着部２６とを有する。よって、シート集合体２０を構成している態様において、セパレータ２３の折り曲げ部２７側に正極シート２１の第１端部２１ｃが位置するとともに、溶着部２６側に正極シート２１の第２端部２１ｆが位置している。
【００３５】
図１及び図２に示すように、電極組立体１４は、シート集合体２０と負極シート２２とが、各隣り合う２辺部が重なり合う状態で積層されて構成されている。これにより、正極活物質層２１ｂと負極活物質層２２ｂとは第１セパレータ面２４及び第２セパレータ面２５を間に挟んだ状態で対向している。詳細には、負極活物質層２２ｂは、正極活物質層２１ｂの全体をオーバラップした状態で対向している。この正極活物質層２１ｂと負極活物質層２２ｂが対向している領域が充放電に寄与する領域である。
【００３６】
なお、図１に示すように、電極組立体１４の最外層には負極シート２２が設けられている。これにより、電極組立体１４における積層方向の両端にある正極活物質層２１ｂにおいて負極活物質層２２ｂと対向しない領域が形成されないようになっている。また、図示は省略するが、電極組立体１４（詳細には最外層の負極シート２２）と容器１２との短絡を抑制するために、電極組立体１４の積層方向の側面と容器１２の内面との間には絶縁シートが設けられている。
【００３７】
図３に示すように、第１及び第２セパレータ面２４，２５のはみ出し部５１，５２のうち、セパレータ２３の両長辺側に位置するはみ出し部５１，５２の幅Ｗは、切り込み２３ｂでの間隙Ｋ１と間隙Ｋ２の合計より短くなっている。
【００３８】
本実施形態の二次電池１０の作用について以下に説明する。
セパレータ２３は、第１セパレータ面２４と第２セパレータ面２５とを繋ぎ、かつ折り曲げ線Ｌによって折り曲げられた折り曲げ部２７を有し、折り曲げ部２７には切り込み２３ｂが形成されている。そして、切り込み２３ｂに正極シート２１の正極集電タブ３１が挿通されている。また、セパレータ２３には、第１セパレータ面２４の第１セパレータ端部２４ａと、第２セパレータ面２５の第２セパレータ端部２５ａとを溶着して溶着部２６が形成されている。このため、正極シート２１は、折り曲げ部２７と溶着部２６によって挟まれている。よって、正極シート２１が、折り曲げ部２７及び溶着部２６に向けて面方向に移動しようとしても、正極シート２１が折り曲げ部２７又は溶着部２６に当接し、正極シート２１の移動が規制される。
【００３９】
また、正極シート２１が折り曲げ線Ｌの方向に移動しようとしても、切り込み２３ｂの端縁２３ｇ，２３ｈに正極集電タブ３１の端縁３１ｂ，３１ｃが当接し、その移動が規制される。ここで、セパレータ２３の両長辺側に位置するはみ出し部５１，５２それぞれの幅Ｗは、切り込み２３ｂでの間隙Ｋ１と間隙Ｋ２の合計より短くなっている。このため、切り込み２３ｂにおける間隙Ｋ１と間隙Ｋ２との合計の範囲内で正極シート２１が移動しても、正極シート２１が各はみ出し部５１，５２を越えてセパレータ２３より飛び出すことが防止される。
【００４０】
次に、シート集合体２０の製造方法について説明する。
図５（ａ）に示すように、長尺状及びシート状に形成されたセパレータ材料４０を準備する。このセパレータ材料４０の長辺方向の長さは、セパレータ２３の短辺方向への長さより長く、かつ、セパレータ材料４０の短辺方向の長さは、セパレータ２３の長辺方向への長さと同一に設定されている。
【００４１】
そして、セパレータ材料４０において、短辺方向の長さの中間に、複数の切り込み２３ｂを一定間隔おきに形成する。切り込み２３ｂは、各切り込み２３ｂに正極集電タブ３１を挿入した状態で、隣り合う正極シート２１同士の間に、はみ出し部５１，５２を二つ分確保した位置に形成される。また、切り込み２３ｂは、後にセパレータ材料４０を折り曲げる際の折り曲げ位置となる折り曲げ線Ｌ上に形成される。
【００４２】
図５（ｂ）に示すように、各切り込み２３ｂに各正極シート２１の正極集電タブ３１を挿入する。続いて、図５（ｃ）に示すように、セパレータ材料４０を短辺方向長さの中間（折り曲げ線Ｌ）から折り曲げて、第１セパレータ面２４及び第２セパレータ面２５を形成するとともに、正極シート２１の正極活物質層２１ｂに第１セパレータ面２４及び第２セパレータ面２５を対向させる。そして、第１セパレータ面２４と第２セパレータ面２５で正極シート２１の正極活物質層２１ｂを挟み込む。
【００４３】
図５（ｃ）に示すように、セパレータ材料４０の重ね合わされた両長辺部（第１セパレータ端部２４ａと第２セパレータ端部２５ａとなる部位）同士をセパレータ材料４０の長辺方向の全体に亘って溶着するとともに、折り曲げ部２７と溶着された部位との間に各正極シート２１を挟み込む。
【００４４】
図５（ｄ）に示すように、セパレータ材料４０の長辺方向に隣り合う正極シート２１同士の間に、二つ分のはみ出し部５１，５２が確保できる位置で、セパレータ材料４０を短辺方向に沿って切断すると、溶着された部位が所定の長さに切断されて溶着部２６が形成されるとともに、シート集合体２０が形成される。
【００４５】
上記実施形態によれば、以下のような効果を得ることができる。
（１）セパレータ２３は第１セパレータ面２４と第２セパレータ面２５を折り曲げ部２７で繋いで形成されるとともに、第１セパレータ面２４と第２セパレータ面２５との間に正極シート２１が挟まれている。また、セパレータ２３の折り曲げ部２７には切り込み２３ｂが形成され、この切り込み２３ｂに正極シート２１の正極集電タブ３１が挿入されている。さらに、第１及び第２セパレータ面２４，２５において、折り曲げ部２７と反対側に溶着部２６が形成されている。このため、シート集合体２０が、セパレータ２３の切り込み２３ｂに正極集電タブ３１を挿入して形成されていても、折り曲げ部２７と溶着部２６によって正極シート２１の移動を規制することができる。
【００４６】
その結果として、セパレータ２３において正極集電タブ３１の挿入側と反対側から正極集電タブ３１が脱落することを防止することができる。よって、電極組立体１４においては、負極活物質層２２ｂと正極活物質層２１ｂとが対向した状態を維持して、二次電池１０としての性能低下を防止することができる。
【００４７】
（２）セパレータ２３の第１セパレータ面２４と第２セパレータ面２５で正極シート２１を挟み込む構成とした。セパレータ２３の第１セパレータ面２４及び第２セパレータ面２５は、正極シート２１を覆うとともにその一部に正極シート２１の側面２１ｅからはみ出すはみ出し部５１，５２を備えている。そして、はみ出し部５１，５２の一部である第１セパレータ端部２４ａと第２セパレータ端部２５ａを溶着して溶着部２６を形成した。このため、セパレータ２３によって正極シート２１の移動を規制して、正極活物質層２１ｂを負極活物質層２２ｂに対向させた状態を維持することができる。また、はみ出し部５１，５２といったセパレータ２３のデッドスペースを有効利用して、セパレータ２３を大型化させることなく正極シート２１の溶着部２６側への移動を規制することができる。
【００４８】
（３）切り込み２３ｂは、細長孔状に形成されている。すなわち、切り込み２３ｂは、セパレータ２３の両長辺から離間した位置に形成され、セパレータ２３の両長辺に繋がっていない。このため、切り込み２３ｂに正極集電タブ３１が挿入されると、切り込み２３ｂの端縁２３ｇ，２３ｈと、正極集電タブ３１の端縁３１ｂ，３１ｃの当接により、折り曲げ線Ｌに沿った正極シート２１の移動を規制することができる。その結果として、セパレータ２３の両長辺（各セパレータ面２４，２５の両短辺側）からの正極シート２１の脱落を防止することができる。
【００４９】
（４）セパレータ２３において、折り曲げ部２７と反対側の第１及び第２セパレータ端部２４ａ，２５ａのみが溶着されて溶着部２６が形成されている。よって、第１及び第２セパレータ面２４，２５の四つの端部のうち折り曲げ部２７以外の全ての端部同士を溶着して溶着部２６を形成する場合と比べると、溶着作業を簡単に行うことができ、電極組立体１４ひいては二次電池１０の生産性を向上させることができる。また、第１及び第２セパレータ面２４，２５の端部のうち折り曲げ部２７以外の全ての端部同士を溶着して溶着部２６を形成する場合と異なり、溶着部２６同士の交差部が存在しないため、セパレータ２３に皺が発生しない。
【００５０】
（５）セパレータ２３において、折り曲げ部２７と反対側の第１及び第２セパレータ端部２４ａ，２５ａのみを溶着により接合した。このため、第１セパレータ面２４と第２セパレータ面２５との接合を簡単に行うことができ、電極組立体１４ひいては二次電池１０の生産性を向上させることができる。
【００５１】
（６）セパレータ２３の両長辺側に位置するはみ出し部５１，５２それぞれの幅Ｗは、切り込み２３ｂでの間隙Ｋ１と間隙Ｋ２の合計より短くなっている。このため、切り込み２３ｂにおける間隙Ｋ１と間隙Ｋ２との合計の範囲内で正極シート２１が移動しても、正極シート２１が各はみ出し部５１，５２を越えてセパレータ２３より飛び出すことが防止される。
【００５２】
なお、上記実施形態は以下のように変更してもよい。
○  実施形態では、溶着により第１セパレータ端部２４ａと第２セパレータ端部２５ａを接合したが、溶着以外に粘着テープや接着剤、縫合、ステープラ等その他の方法で接合してもよい。
【００５３】
○  実施形態では、第１セパレータ端部２４ａと第２セパレータ端部２５ａのみを接合したが、第１セパレータ端部２４ａと第２セパレータ端部２５ａに加え、その他の端部同士を接合してもよい。
【００５４】
○  実施形態では、第１セパレータ端部２４ａと第２セパレータ端部２５ａをその延びる方向の全体に亘って接合したが、第１セパレータ端部２４ａと第２セパレータ端部２５ａを、その延びる方向の一部同士だけを接合してもよい。
【００５５】
○  実施形態では、第１電極シートを正極シート２１とし、第２電極シートを負極シート２２としたが、逆でも良く、第１電極シートを負極シート２２とし、第２電極シートを正極シート２１としてもよい。
【００５６】
○  実施形態では、切り込み２３ｂを折り曲げ部２７の折り曲げ線Ｌに沿って延びる細長孔状に形成したが、切り込み２３ｂは折り曲げ線Ｌの延びる方向に沿っていれば、折り曲げ線Ｌからずれた位置に形成されていてもよい。
【００５７】
○  実施形態では、切り込み２３ｂを折り曲げ線Ｌに沿う直線状に延びる細長孔状に形成したが、切り込み２３ｂの形状は適宜変更してもよい。
○  実施形態では、切り込み２３ｂはセパレータ２３の長辺から離間して独立した孔状に形成したが、切り込み２３ｂはセパレータ２３の長辺に繋がっていてもよい。
【００５８】
○  実施形態では、正極集電タブ３１及び負極集電タブ３２は、電極組立体１４における積層方向の一端から他端までの範囲内で集められた（束ねられた）状態で折り曲げられた構成としたが、正極集電タブ３１及び負極集電タブ３２は集めた状態としなくてもよい。
【００５９】
○  実施形態では、正極シート２１は両面に正極活物質層２１ｂを有するとしたが、正極シート２１の片面のみに正極活物質層２１ｂを有していてもよい。
○  実施形態では、負極シート２２は両面に負極活物質層２２ｂを有するとしたが、負極シート２２の片面のみに負極活物質層２２ｂを有していてもよい。
【００６０】
○  シート集合体２０の製造方法は実施形態に記載のものに限られず、適宜変更してもよい。
○  電極組立体１４を構成する正極シート２１、及び負極シート２２の枚数は適宜変更してもよい。
【００６１】
○  ケース１１の形状は、円柱状や、左右方向に扁平な楕円柱状に形成してもよい。
○  本発明は、蓄電装置としてのニッケル水素二次電池や、電気二重層キャパシタとして具体化してもよい。
【符号の説明】
【００６２】
Ｌ…折り曲げ線、１０…蓄電装置としての二次電池、１４…電極組立体、２１…第１電極としての正極シート、２１ｂ…正極活物質層、２１ｃ…第１端部、２１ｆ…第２端部、２２…第２電極としての負極シート、２３…セパレータ、２３ｂ…切り込み、２４…第１セパレータ面、２４ａ…第１セパレータ端部、２５…第２セパレータ面、２５ａ…第２セパレータ端部、２６…接合部としての溶着部、２７…折り曲げ部、３１…正極集電タブ。
【図１】
2014007104.tif 000003
【図２】
2014007104.tif 000004
【図３】
2014007104.tif 000005
【図４】
2014007104.tif 000006
【図５】
2014007104.tif 000007
【図６】
2014007104.tif 000008